【手続補正書】
【提出日】平成26年4月14日(2014.4.14)
【手続補正１】
【補正対象書類名】特許請求の範囲
【補正対象項目名】全文
【補正方法】変更
【補正の内容】
【特許請求の範囲】
【請求項１】
表面処理炭酸カルシウム材料の調製方法であって、
ａ）少なくとも１種の炭酸カルシウム含有材料を提供するステップ、
ｂ）モノアルコール第１級アルカノールアミン塩、ポリエチレンイミン塩およびこれらの混合物を含む群から選択されるＣ５−Ｃ２８の脂肪酸の少なくとも１種の塩を提供するステップ、
ｃ）ステップａ）の前記炭酸カルシウム含有材料を、ステップｂ）の前記脂肪酸塩と接触させることにより処理するステップ、
ｄ）表面処理炭酸カルシウム材料を得るステップ
を含む、表面処理炭酸カルシウム材料の調製方法。
【請求項２】
ステップａ）の炭酸カルシウム含有材料の炭酸カルシウムが、粉砕された天然炭酸カルシウム、ドロマイト、沈降炭酸カルシウムおよびこれらの混合物を含む群から選択され、前記炭酸カルシウム含有材料が、炭酸カルシウム含有材料の全重量に対して少なくとも５０重量％の炭酸カルシウムを含有することを特徴とする、請求項１に記載の方法。
【請求項３】
ステップａ）の炭酸カルシウム含有材料の炭酸カルシウムが、粉砕された天然炭酸カルシウム、ドロマイト、沈降炭酸カルシウムおよびこれらの混合物を含む群から選択され、前記炭酸カルシウム含有材料が、炭酸カルシウム含有材料の全重量に対して少なくとも９０重量％の炭酸カルシウムを含有することを特徴とする、請求項１に記載の方法。
【請求項４】
ステップａ）の炭酸カルシウム材料の粒子の１０〜９０重量％が、１μｍ未満の粒径を示すことを特徴とする、請求項１〜３のいずれか一項に記載の方法。
【請求項５】
ステップａ）の炭酸カルシウム材料が、０．４〜５μｍのｄ５０値を示すことを特徴とする、請求項１〜４のいずれか一項に記載の方法。
【請求項６】
ステップａ）の炭酸カルシウム材料が、１〜２００ｍ２／ｇのＢＥＴ比表面積を示すことを特徴とする、請求項１〜５のいずれか一項に記載の方法。
【請求項７】
ステップａ）の炭酸カルシウム含有材料が水性懸濁液の形態で提供され、懸濁液の重量に基づき１ｗｔ％〜７９ｗｔ％の範囲内の炭酸カルシウム含有材料の含有量を有することを特徴とする、請求項１〜６のいずれか一項に記載の方法。
【請求項８】
炭酸カルシウム含有材料の懸濁液が、炭酸カルシウム含有材料のｍ２当り、０．０５〜１ｍｇの分散剤または粉砕助剤を含むことを特徴とする、請求項７に記載の方法。
【請求項９】
Ｃ５−Ｃ２８の脂肪酸の塩が、Ｃ６−Ｃ２４の脂肪酸の塩であることを特徴とする、請求項１〜８のいずれか一項に記載の方法。
【請求項１０】
Ｃ５−Ｃ２８の脂肪酸の塩が、Ｃ８−Ｃ１８の脂肪酸の塩であることを特徴とする、請求項９に記載の方法。
【請求項１１】
Ｃ５−Ｃ２８の脂肪酸の塩が、５ｇ  Ｉ２／１００ｇの脂肪酸塩より少ないヨウ素数を有する脂肪酸の塩であることを特徴とする、請求項１〜１０のいずれか一項に記載の方法。
【請求項１２】
Ｃ５−Ｃ２８の脂肪酸の塩が、脂肪酸がＣ６−Ｃ９の脂肪酸である場合、直鎖脂肪酸の塩であることを特徴とする、請求項１〜１１のいずれか一項に記載の方法。
【請求項１３】
Ｃ５−Ｃ２８の脂肪酸の塩が、パルミチン酸塩およびステアリン酸塩のブレンドであり、パルミチン酸：ステアリン酸の脂肪酸に基づく重量比が２：１〜１：２であることを特徴とする、請求項１〜１１のいずれか一項に記載の方法。
【請求項１４】
Ｃ５−Ｃ２８の脂肪酸の塩が、３０〜１１０モル％が、モノアルコール第１級アルカノールアミンおよび／またはポリエチレンイミンで中和され、ポリエチレンイミン塩の場合、前記Ｃ５−Ｃ２８の脂肪酸の塩は、３５〜４５モル％が中和され、モノアルコール第１級アルカノールアミン塩の場合、前記Ｃ５−Ｃ２８の脂肪酸の塩は、９０〜１００モル％が中和されることを特徴とする、請求項１〜１３のいずれか一項に記載の方法。
【請求項１５】
Ｃ５−Ｃ２８の脂肪酸の塩がポリエチレンイミン塩の場合、前記ポリエチレンイミンが直鎖であり、１４０〜７００ｇ／ｍｏｌの分子量を有することを特徴とする、請求項１〜１４のいずれか一項に記載の方法。
【請求項１６】
Ｃ５−Ｃ２８の脂肪酸の塩がモノアルコール第１級アルカノールアミン塩である場合、前記モノアルコール第１級アルカノールアミンは、エタノールアミン、プロパノールアミン、ブタノールアミン、ペンタノールアミンおよびこれらの混合物を含む群から選択されることを特徴とする、請求項１〜１４のいずれか一項に記載の方法。
【請求項１７】
前記モノアルコール第１級アルカノールアミンは、Ｃ５−Ｃ２８の脂肪酸の１−アミノ−２−プロパノール塩であることを特徴とする、請求項１６に記載の方法。
【請求項１８】
炭酸カルシウム含有材料が、前記炭酸カルシウム含有材料の乾燥重量に基づいて、合計０．１〜３ｗｔ％のＣ５−Ｃ２８の脂肪酸の塩により処理されることを特徴とする、請求項１〜１７のいずれか一項に記載の方法。
【請求項１９】
炭酸カルシウム含有材料が、炭酸カルシウム含有材料のｍ２当り合計０．２〜５ｍｇのＣ５−Ｃ２８の脂肪酸の塩により処理されることを特徴とする、請求項１〜１８のいずれか一項に記載の方法。
【請求項２０】
ステップｃ）の処理方法が湿式処理方法であり、得られた水性懸濁液を乾燥し、この結果、表面処理炭酸カルシウムを顆粒または粉末の形態で得ることを特徴とする、請求項１〜１９のいずれか一項に記載の方法。
【請求項２１】
ステップｃ）の処理方法が乾式処理方法であり、得られた顆粒または粉末を水性媒体に導入し、この結果、表面処理炭酸カルシウムを水性懸濁液の形態で得ることを特徴とする、請求項１〜１９のいずれか一項に記載の方法。
【請求項２２】
請求項１〜２１のいずれか一項に記載の方法により得られる表面処理炭酸カルシウム材料。
【請求項２３】
９７〜９９重量％の炭酸カルシウム材料、０．１〜３重量％のＣ５−Ｃ２８の脂肪酸のモノアルコール第１級モノアルカノールアミンおよび／またはポリエチレンイミンの塩、並びに０〜１．５重量％のＣ５−Ｃ２８の脂肪酸のカルシウムおよび／またはマグネシウムの塩を含むことを特徴とする、請求項２２に記載の表面処理炭酸カルシウム材料。
【請求項２４】
請求項２２または２３に記載の表面処理炭酸カルシウム材料または表面処理炭酸カルシウム材料を含む水性懸濁液を媒体に加えることを特徴とする、水性媒体において有機材料を制御する方法。
【請求項２５】
水性媒体中の有機材料が、石油、石油誘導体、粘着物、ピッチまたはこれらの混合物を含む群から選択され、前記ピッチが非イオン性および／または陰イオン性であることを特徴とする、請求項２４に記載の方法。
【請求項２６】
表面処理炭酸カルシウムの添加前の水性媒体中の有機材料の総量が、化学的酸素要求量（ＣＯＤ）に基づいて評価して、１０００〜５０００ｍｇ  Ｏ２／ｄｍ３であることを特徴とする、請求項２４または２５のいずれか一項に記載の方法。
【請求項２７】
表面処理炭酸カルシウムの添加前の水性媒体のｐＨが６より大であることを特徴とする、請求項２４〜２６のいずれか一項に記載の方法。
【請求項２８】
表面処理炭酸カルシウムが、１０００ｍｇ  Ｏ２／ｄｍ３当り０．０５〜５ｗｔ％に相当する量で水性媒体に投入され、前記ｍｇ  Ｏ２／ｄｍ３がＣＯＤ測定方法により決定されることを特徴とする、請求項２４〜２７のいずれか一項に記載の方法。
【請求項２９】
請求項２４〜２８のいずれか一項に記載の方法により得られる複合材料。
【請求項３０】
請求項２９に記載の複合材料の、紙における充填剤としての使用。
【請求項３１】
請求項２２または２３のいずれか一項に記載の表面処理炭酸カルシウムの、水性媒体における有機材料の制御のための使用。